(57)【要約】  Ａ／Ｖデータ（ＡＶＤ）の再生の同期方法及びシステムである。ユーザ（Ｂ）に割り当てることができる少なくとも１つのポータブル送信装置（１）から時間間隔（ｉ）をおいてワイヤレスで受信した少なくとも１つの同期信号（ｔ）を用いて前記Ａ／Ｖデータ（ＡＶＤ）の再生を行う。
2008519470.tif 000002
【特許請求の範囲】
【請求項１】
ユーザに割り当てることができる少なくとも１つのポータブル送信装置から時間間隔をおいてワイヤレスで受信した少なくとも１つの同期信号を用いて前記Ａ／Ｖデータの再生を行う、Ａ／Ｖデータの再生の同期方法。
【請求項２】
前記Ａ／Ｖデータは再生前にバッファされる、請求項１に記載の方法。
【請求項３】
前記Ａ／Ｖデータの再生は、受信した同期信号の前記Ａ／Ｖデータに含まれる時間情報との比較に基づいて行われる、請求項１または２に記載の方法。
【請求項４】
前記ポータブル送信装置により送信された少なくとも１つの識別メッセージを受信し、前記Ａ／Ｖデータの再生は前記少なくとも１つの識別メッセージにも基づいて行われる、請求項１乃至３いずれか一項に記載の方法。
【請求項５】
前記Ａ／Ｖデータの再生は、少なくとも１つの再生装置に対する前記送信装置の瞬間的位置にも依存して行われる、請求項１乃至４いずれか一項に記載の方法。
【請求項６】
前記モバイル送信装置の瞬間的位置は、前記送信装置により送信された少なくとも１つの信号の前記再生装置において測定した電磁界強度にもとづいて、前記少なくとも１つの再生装置に対して決定される、請求項５に記載の方法。
【請求項７】
前記同期信号は周期的時間間隔をおいて受信される、請求項１乃至６いずれか一項に記載の方法。
【請求項８】
請求項１乃至７いずれか一項に記載の方法を実施する再生システムであって、
前記再生システムはＡ／Ｖデータを再生する少なくとも２つの再生装置と１つのモバイル送信装置とを有し、前記モバイル送信装置は同期信号を発生してそれを時間間隔をおいて前記再生装置に送信するように構成され、前記再生装置は前記同期信号をワイヤレスで受信し、前記同期信号を使用しながら前記Ａ／Ｖデータを再生するように構成されている、再生システム。
【請求項９】
前記再生装置は再生すべき前記Ａ／Ｖデータをバッファするように構成された、請求項８に記載の再生システム。
【請求項１０】
前記再生装置は、前記同期信号の前記Ａ／Ｖデータに含まれる時間情報との比較に基づいて前記Ａ／Ｖデータの再生を実行するように構成された、請求項８または９に記載の再生システム。
【請求項１１】
前記少なくとも１つのモバイル送信装置は、識別のために、前記再生装置に少なくとも１つの識別メッセージを送信するように構成され、前記再生装置は、前記送信装置から受信した前記識別メッセージと同期信号に基づいて、前記Ａ／Ｖデータの再生を実行するように構成された、請求項８乃至１０いずれか一項に記載の再生システム。
【請求項１２】
前記再生装置は、前記再生装置に対する前記モバイル送信装置の瞬間的位置を検出し、前記同期信号と前記再生装置に対する前記モバイル送信装置の瞬間的位置とに応じて前記Ａ／Ｖデータの再生を実行するように構成された、請求項８乃至１１いずれか一項に記載の再生システム。
【請求項１３】
前記再生装置の各々は、前記モバイル送信装置により送信された少なくとも１つの信号の電磁界強度に基づき、前記再生装置に対する前記モバイル送信装置の瞬間的位置を決定するために構成された、請求項１２に記載の再生システム。
【請求項１４】
前記モバイル送信装置は周期的な時間間隔をおいて前記再生装置に前記同期信号を送信するように構成された、請求項８乃至１３いずれか一項に記載の再生システム。
【請求項１５】
前記モバイル送信装置は前記再生装置のリモコンとして構成された、請求項８乃至１４いずれか一項に記載の再生システム。
【請求項１６】
請求項８乃至１５いずれか一項に記載の再生システムのモバイル送信装置。
【請求項１７】
請求項８乃至１５いずれか一項に記載の再生システムのＡ／Ｖデータの再生装置。
【請求項１８】
請求項１７に記載の再生装置で実行されたとき、請求項１乃至７いずれか一項に記載の方法の１つ以上の段階を実行するプログラムコード手段を有するコンピュータプログラム。
【請求項１９】
前記コンピュータプログラムがコンピュータ読み取り可能データ担体に格納された、請求項１８に記載のコンピュータプログラムを有するコンピュータプログラム製品。
【発明の詳細な説明】
【発明の詳細な説明】
【０００１】
本発明は、オーディオ／ビデオ信号の再生の同期方法に関する。
【０００２】
本発明は、さらに、オーディオ／ビデオ信号の再生用の少なくとも２つの再生装置を有する再生システムに関する。
【０００３】
本発明は、さらに、オーディオ／ビデオ信号の再生のための再生システムのポータブル送信装置に関する。
【０００４】
本発明は、また、オーディオ／ビデオ信号の再生のための再生装置に関する。
【０００５】
さらに、本発明は、オーディオ／ビデオデータの再生のためのコンピュータプログラムに関する。
【０００６】
本発明は、また、オーディオ／ビデオデータの再生のためのコンピュータプログラムを有するコンピュータプログラム製品に関する。
【０００７】
第１段落に記載した種類の方法と第２段落に記載した種類のシステムは、特許文献１で知られている。既知の方法とシステムをそれぞれ使って、オーディオ／ビデオデータ及びそれに関する時間情報を、オーディオ／ビデオデータ再生用固定サーバ（stationary  server）に格納する。以下、読みやすくするため、オーディオ／ビデオデータは「Ａ／Ｖデータ」と書く。サーバに格納されたＡ／Ｖデータを再生するため、再生装置を設け、その再生装置をグループに分ける。あるグループの１つの再生装置からサーバに送信された要求を受けると、Ａ／Ｖデータがサーバからそのグループのすべての再生装置に送信され、格納される。ここで、サーバと再生装置間のデータ伝送は双方向の無線送信接続により行われる。各再生装置がＡ／Ｖデータの受信をサーバに確認すると、サーバはその再生装置に開始信号を送信する。その再生装置は開始信号を受信するとＡ／Ｖデータの再生を開始する。Ａ／Ｖデータを長時間にわたって同期再生するため、追加情報がサーバから再生装置に伝送される。この追加情報はＡ／Ｖデータ中の特定の位置を示し、個々の再生装置の再生はこの位置から開始される。
【０００８】
しかし、既知の方法や既知の再生システムを使うと、サーバと再生装置間の伝送セクションの全体にわたって双方向通信リンクが必要であるとの不利益があることが分かっている。このことが、再生装置が各々送受信装置を有さなければならない理由である。その送受信装置（transmitting/receiving  arrangement）は、サーバへのネットワーク全体にわたる信号送信を信頼性高く不確定な遅延を生じないでサポートする。このように、既知方法や既知の再生システムの実現には、マルチチャンネルの無線ネットワークが必要であり、このネットワークにより製造コストが非常に高くなる。さらにまた、既知の方法は、ユーザが動いている場合にも同期して見える（聞こえる）ように、空間的に分散した再生装置でＡ／Ｖデータを再生するには適さない。
【特許文献１】米国特許公開第２００２／００６７９０９号公報
【発明の開示】
【発明が解決しようとする課題】
【０００９】
本発明の目的は、第１段落に記載した種類の方法、第２段落に記載した種類の再生システム、第３段落に記載した種類の送信装置、第４段落に記載した種類の再生装置、第５段落に記載した種類のコンピュータプログラム、及び第６段落に記載した種類のコンピュータプログラム製品であって、上記不利益がないものを提供することである。
【課題を解決するための手段】
【００１０】
上記目的を達成するため、本発明による方法は、本発明による特徴を有する。本発明による方法は、以下に示す特徴を有する、すなわち：
ユーザに割り当てることができる少なくとも１つのポータブル送信装置から時間間隔をおいてワイヤレスで受信した少なくとも１つの同期信号を用いて前記Ａ／Ｖデータの再生を行う、Ａ／Ｖデータの再生の同期方法。
【００１１】
上記目的を達成するため、本発明による再生システムは、本発明による特徴を有する。本発明による再生システムは、以下に示す特徴を有する、すなわち：
請求項１乃至７いずれか一項に記載の方法を実行する再生システム。
【００１２】
前記再生システムはＡ／Ｖデータを再生する少なくとも２つの再生装置と１つのモバイル送信装置とを有し、前記モバイル送信装置は同期信号を発生してそれを時間間隔をおいて前記再生装置に送信するように構成され、前記再生装置は前記同期信号をワイヤレスで受信し、前記同期信号を用いて前記Ａ／Ｖデータを再生するように構成されている、再生システム。
【００１３】
上記目的を達成するため、本発明による送信装置は、本発明による特徴を有する。本発明による送信装置は、以下に示す特徴を有する、すなわち：
請求項８乃至１５いずれか一項に記載の再生システムのモバイル送信装置。
【００１４】
上記目的を達成するため、本発明による再生装置は、本発明による特徴を有する。本発明による再生装置は、以下に示す特徴を有する、すなわち：
請求項８乃至１５いずれか一項に記載の再生システムのＡ／Ｖデータの再生装置。
【００１５】
上記目的を達成するため、本発明によるコンピュータプログラムは、本発明による特徴を有する。本発明によるコンピュータプログラムは、以下に示す特徴を有する、すなわち：
請求項１７に記載の再生装置で実行されたとき、請求項１乃至７いずれか一項に記載の方法の１つ以上の段階を実行するプログラムコード手段を有するコンピュータプログラム。
【００１６】
上記目的を達成するため、本発明によるコンピュータプログラム製品は、本発明による特徴を有する。本発明によるコンピュータプログラム製品は、以下に示す特徴を有する、すなわち：
前記コンピュータプログラムがコンピュータ読み取り可能データ担体に格納された、請求項１８に記載のコンピュータプログラムを有するコンピュータプログラム製品。
【００１７】
本発明による特徴を設けることにより、もたらされる有利な点は、様々な再生装置におけるＡ／Ｖデータの再生の同期を非常に簡単に行うことができる点である。再生の同期には、再生装置とポータブル送信装置との間に一方向の接続があればよいからである。
【００１８】
請求項２または請求項９の手段により、もたらされる有利な点は、再生すべきＡ／Ｖデータを再生装置に送信することによるＡ／Ｖデータの再生の遅延の影響を無くすことができる点である。
【００１９】
請求項３または請求項１０の手段により、Ａ／Ｖデータの同期再生を簡単に長い時間にわたって確保することができるとの有利な点が得られる。
【００２０】
しかし、請求項４または請求項１１の手段を備えれば、特に有利であることが分かっている。それにより、送信装置が複数ある場合であっても再生装置の制御または同期の衝突を回避することができるとの利点が得られる。
【００２１】
請求項５または請求項１２の手段により、再生の同期によって、音響的に再生されたオーディオ信号の遅延差をキャンセルできるとの有利な点が得られる。
【００２２】
請求項６または請求項１３の手段により、再生装置から送信装置までの瞬間的距離を非常に簡単な方法で決定できるとの有利な点が得られる。
【００２３】
請求項７または請求項１４の手段により、同期信号は非常に少ない情報のみを含み、送信装置と再生装置との間で狭い送信帯域幅があればよいとの有利な点が得られる。
【００２４】
請求項１５の手段により、再生の種類の制御がユーザにとって非常に簡単にやりやすい方法で可能となるとの有利な点が得られる。
【００２５】
本発明を限定すると考えてはならないが、本発明の上記その他の態様は、以下に説明する実施形態を参照して説明し、明らかとなるであろう。
【発明を実施するための最良の形態】
【００２６】
図１は、Ａ／ＶデータＡＶＤを再生する、本発明による再生システムＳＹＳを示す図である。再生システムＳＹＳは、Ａ／ＶデータＡＶＤ再生のための、再生システムＳＹＳに接続された、いくつかの再生装置２、３、４（例えば、コンピュータ）を有する。
【００２７】
この場合、再生装置２、３、４は、図に概略的に示したように、住居または家の個々の領域にあり、データリンクを介してサーバに接続されている。この場合、サーバ５と再生装置２、３、４の間のデータリンクはイーサネット（登録商標）接続である。その接続はガラスファイバー接続により実現されてもよく、例えばＷｉＦｉ（Wireless  Fidelity）接続を介する無線でもよい。Ａ／ＶデータＡＶＤは、サーバ５に格納され、データリンクを介して再生装置２、３、４にサーバにより送信される。本発明の変形例では、Ａ／ＶデータＡＤＶの送信はＴＣＰ／ＩＰプロトコルに従って行われる。あるいは、ＴＣＰ／ＩＰプロトコル以外の異なる送信プロトコルを使用することもできる。
【００２８】
さらに、ポータブルのユーザに割り当てられた（user-allocated）モバイル送信装置１が設けられている。このモバイル送信装置１は、図２に示した実施形態によると、クロック６と、プロセッサ７と、及び再生装置２、３、４に信号を送信する無線送信手段８とを有する。この場合、無線送信手段８は、「ＺｉｇＢｅｅ」とよばれる技術と、その基礎にあるＩＥＥＥ８０２．１５．４標準規格に基づき、再生装置２、３、４またはサーバ５に信号を無線送信するように設計されている。かかる信号の無線送信には、例えば、（ＩＥＥＥ８０２．１１標準による）Ｗ−ＬＡＮや（ＩＥＥＥ８０２．１５．１標準による）ブルートゥースなどの他の技術を使用してもよい。
【００２９】
送信装置１は、さらに、例えば充電式バッテリーなどの内部電源（図示せず）を有している。
【００３０】
プロセッサ７は、クロック６の時間信号を用いて同期信号ｔを生成し、それを無線送信手段８により再生装置２、３、４に送信するように、コンピュータプログラムが組み込まれている。再生システムＳＹＳの動作状態では、送信装置１はユーザが身につけているものとする。送信装置１は、好ましくは、ユーザが耳の後ろに付けられるような形態である。
【００３１】
同期信号ｔは、本発明の好ましい変形例によると、時間間隔をおいて生成されるデジタル同期メッセージである。ここで、同期信号ｔは、異なる時間に送信装置１が生成した一連の同期メッセージに対応する。この同期メッセージは、送信装置１の固有時（proper  time）に関する時間情報を含む。
【００３２】
さらに、同期信号ｔまたは同期メッセージは、同期信号ｔまたはその同期メッセージの受信直後または受信後所定時間後に、Ａ／ＶデータＡＶＤの特定のデータブロックを再生する、再生装置２、３、４に対する命令を含んでもよい。
【００３３】
本発明のさらに別の変形例によると、同期信号ｔは周期的に生成されるクロックパルスであってもよい。その場合、同期信号ｔは時間情報を明示的に含んでいる必要はなく、クロックパルスはアナログ方式であってもよい。
【００３４】
さらに、本発明の好ましい変形例では、再生装置２、３、４への同期信号ｔは、断続的に時間間隔をあけて送信してもよい。再生装置２、３、４に同期信号ｔを断続的に時間間隔をあけて送信する利点は、送信される時間情報を非常に短くできることである。その理由は、連続する時間情報はいくつかのビットが異なるだけであり、これらのビットを送信すればよいからである。再生装置２、３、４に同期信号ｔを、断続的に時間間隔をあけて送信する利点は、さらに、時間間隔を広い範囲から選択することができるので、送信装置１のパワー消費を大幅に低減することができるからである。
【００３５】
時間間隔を動的に選択できると特に有利である。再生システムＳＹＳが再生動作をしていない場合、または送信装置１の場所が変化していない場合、同期信号ｔは長い時間間隔で送信される。ユーザによる動作がある場合、すなわち例えば、送信装置１に制御コマンドや操作コマンドが入力された場合、または送信装置１の場所が変化した場合、同期メッセージｔは短い時間間隔で送信される。こうすることにより、パワー消費を最小にしつつモバイル送信装置１の場所を十分正確に特定することができる。モバイル送信装置１をリモコンとして使用する場合、そのモバイル送信装置１によりユーザ動作をすぐに検知する。送信装置１が動いたか、またはそれが静止しているかを、その送信装置１の加速度センサにより検出する。
【００３６】
上記の実施形態の替わりに、同期信号ｔの２つの連続するクロックパルスまたは同期メッセージの送信の時間間隔（図４で「ｉ」として示した）をランダムに決定してもよい。この後者の実施形態は、複数のアクティブな送信装置１がある場合に、個々の送信装置１が発生した同期信号ｔの衝突の問題を起こさないで再生システムＳＹＳが動作できるという点で有利である。
【００３７】
さらに、本発明の好ましい変形例では、送信装置１は、個々の再生装置２、３、４のＡ／ＶデータＡＶＤの再生を制御する制御コマンドを入力するためのモジュール（図示せず）を有する。制御コマンドはプロセッサ７により制御信号に変換され、再生装置２、３、４に無線送信手段８を介して送信される。再生装置２、３、４は、その送信された制御コマンドに対応する種類の再生（例えば音量）を実行する。
【００３８】
図１と図４に示した本発明の実施形態例では、再生すべきＡ／ＶデータＡＶＤは、サーバ５に格納され、ユーザがＡ／ＶデータＡＶＤの再生のために送信装置１を介して開始信号ｐをサーバ５に送信するとすぐに、再生装置２、３、４に送信される。
【００３９】
図１に示した実施形態では、サーバへの開始信号ｐの送信は再生装置２、３、４を介して行われる。この目的のため、開始信号ｐは送信装置１から無線通信を介して再生装置２、３、４に送信される。開始信号ｐを受信すると、再生装置２、３、４、あるいはそのうちの選択された１つまたはいくつかは、それに対するモバイル送信装置１の位置に応じて、この信号ｐをサーバ５に送信する。そのサーバ５は、その信号ｐを受信すると、格納していたＡ／ＶデータＡＶＤの再生装置２、３、４への送信を開始する。
【００４０】
開始信号ｐを再生装置２、３、４を介してサーバ５に送信する替わりに、送信装置１は、開始信号ｐをサーバ５に直接送信することもできる。サーバ５は、再生装置２、３、４と同様に、送信装置１から開始信号ｐを受信する無線受信手段（図３において９で示した）を含む。
【００４１】
サーバ５にＡ／ＶデータＡＶＤを格納して、開始信号ｐを受信してからサーバ５が再生装置２、３、４にＡ／ＶデータＡＶＤを送信する替わりに、Ａ／ＶデータＡＶＤを各再生装置２、３、４の固定記憶装置に格納してもよい。この変形例の利点は、Ａ／ＶデータＡＶＤを再生するために、開始信号ｐを受信してもサーバ５から再生装置２、３、４にＡ／ＶデータＡＶＤを送信する必要がないことである。このため、本発明のこの実施形態では、再生装置２、３、４が開始信号ｐを受信するとすぐに、Ａ／ＶデータＡＶＤの再生を開始することができる。
【００４２】
個々の再生装置２、３、４によるＡ／ＶデータＡＶＤの同期再生を保証するために、再生装置２、３、４は、送信装置１から受信した同期信号ｔに基づいてＡ／ＶデータＡＶＤを実行するように構成されている。以下、さらに詳細に説明する。
【００４３】
図３に示した再生装置は再生装置２である。図１に示した他の再生装置３、４は概ね同様に構成されている。
【００４４】
再生装置２は、同期信号ｔを受信するための無線受信装置９を含む。さらにまた、図１に５で示したサーバ５から、再生すべきＡ／ＶデータＡＶＤを受信する受信ユニット１０が設けられる。
【００４５】
さらに、再生装置２は、プロセッサ１１、Ａ／ＶデータＡＶＤのためのメモリ１２、Ａ／ＶデータＡＶＤのための出力部１３（例えば、ディスプレイまたはラウドスピーカ）を有する。
【００４６】
プロセッサ１１には、同期信号ｔを用いて出力部１３を介したＡ／ＶデータＡＶＤの再生を制御するための本発明によるコンピュータプログラムが組み込まれる。さらに、Ａ／ＶデータＡＶＤの再生の制御は、以下に追って説明する。
【００４７】
本発明によるコンピュータプログラムは、再生装置２、３、４にインストールする場合、ＣＤ−ＲＯＭ等のコンピュータ読み取り可能データ担体に格納し、再生装置２、３、４のそれぞれの読み取り部を介して、その再生装置２、３、４のメモリに送信されてもよい。
【００４８】
図１に示した再生システムＳＹＳのすべての再生装置２、３、４において、Ａ／ＶデータＡＶＤを常に同時に再生する必要は必ずしもないので、再生装置２、３、４はそれに対する送信装置１の瞬間的位置を測定するための測定手段１４を有する。送信装置１の瞬間的位置を決定する測定手段１４は、送信装置１が送信した信号のその時点の電磁界強度を検出する測定装置として設計され、例えば、既存のワットメータ（wattmeter）または定常波測定装置として実施され得る。送信装置１から受信され再生装置が決定した信号の電磁界強度（field  strength）は、サーバ５に送信される。サーバ５は、その電磁界強度のサンプルを求め、その電磁界強度のサンプルを送信装置１のその時点の空間的位置に割り当てる。
【００４９】
本発明の好ましい変形例では、測定手段１４は同期信号ｔの電磁界強度を測定する。送信装置１がそれ自体の信号を発生し、その信号を電磁界強度の測定のためだけに供給するということを避けるためである。
【００５０】
言うまでもなく、送信装置１の位置は、その他の方法、例えば受信信号の時間差に基づく三角法等を使用して決定することもできる。かかる三角法やシステムは、例えば国際公開公報ＷＯ２００４／０３６２４３「WIRELESS  LOCAL  AREA  NETWORK  (WLAN)  CHANNEL  RADIO-FREQUENCY  IDENTIFICATION  (RFID)  TAG  SYSTEM  AND  METHOD  THEREFOR」により既知となっている。これに関連してこの開示をここに援用する。
【００５１】
送信装置１に対する瞬間的位置に応じて、各再生装置２、３、４は、Ａ／ＶデータＡＶＤを再生するかどうか決定することができる。送信装置１の位置や空間的権限領域（competence  area）が再生システムＳＹＳ内の各再生装置２、３、４に割り当てられているからである。送信装置１が再生装置２、３、４に割り当てられた位置にいるか、再生装置２、３、４に割り当てられた領域に入っているとき、その位置や領域に対応する（associated）再生装置２、３、４がＡ／ＶデータＡＶＤの再生を受け持つ。
【００５２】
再生装置２、３、４が送信装置１に対するその時点での位置に応じてＡ／ＶデータＡＶＤを再生するかどうか決定するために、プロセッサ１１は対応するコンピュータプログラムを有している。
【００５３】
ユーザが第１の再生装置２、３、４の空間的権限領域（competence  area）から出て、第２の再生装置２、３、４の空間的権限領域に入ると、第１の再生装置２、３、４から第２の再生装置２、３、４に、Ａ／ＶデータＡＶＤの再生のハンドオフ手順（hand  off  procedure）が実行される。このハンドオフ手順を以下に説明するが、文章を読みやすくするために、そのハンドオフ手順に係わる第１の再生装置を参照符号２で示し、そのハンドオフ手順に係わる第２の再生装置を参照符号３で示す。第１の再生装置２から第２の再生装置３へのＡ／ＶデータＡＶＤの再生のハンドオフ手順は、２つの段階で行われる。第１段階では、ユーザまたは送信装置１が、第１の再生装置２の単独権限領域（sole  competence  area）から再生装置２、３の権限領域が重なっている領域に入ると、第２の再生装置３の再生動作状態（playback  operating  condition）が起動（activate）され、両方の再生装置２、３が同時に動作状態（active）となる。両方の再生装置２、３がアクティブな再生動作状態になると、Ａ／ＶデータＡＶＤの再生は再生装置２のプロセッサ１１と再生装置３のプロセッサ１１との同期信号ｔにより同期される。第２の段階では、ユーザが第２の再生装置３の単独権限領域（sole  competence  area）にいるとき、第１の再生装置２によるＡ／ＶデータＡＶＤの再生はそれのプロセッサ１１により終了される。ここで、第１の再生装置２のプロセッサ１１は、送信装置１が第１の再生装置２の権限領域内にいるかチェックする。このチェックは、その時点での電磁界強度のサンプルと、第１の再生装置２の権限領域を規定し、第１の再生装置２のメモリに格納されている電磁界強度のサンプルとにより行う。その時点の電磁界強度のサンプルを格納された電磁界強度のサンプルと一致（match）しない場合、再生は終了される。
【００５４】
２つの再生装置２、３の各プロセッサ１１は、好適なコンピュータプログラムによりハンドオフ手順を実行するように構成されている。
【００５５】
個々の再生装置２、３のプロセッサ１１がハンドオフ手順を制御する替わりに、サーバ５がハンドオフ手順を制御してもよい。このために、サーバ５は対応する制御コマンドをハンドオフ手順をする再生装置２、３、４に送信する。
【００５６】
再生装置２、３、４は、送信装置１の位置の瞬間的変化により２つまたはそれ以上の再生装置２、３、４間でユーザが移動したことが分かると、本発明の好ましい変形例では、アクティブな動作状態のままでいるか、または動作可能状態（ready  condition）になる。これにより、再生装置２、３、４は、いつでもＡ／ＶデータＡＶＤを再生することができる動作状態（operating  condition）に保たれる。
【００５７】
ユーザは、位置ごとに、例えば低音再生の音量やパラメータなどの特定の再生パラメータを決定して、再生システムＳＹＳに、Ａ／ＶデータＡＶＤの再生制御のインテリジェント（intelligent）な振る舞いを指示することもできる。位置に応じてこれらの再生パラメータを決定する場合、ユーザは、送信装置１を持って再生装置２、３、４の受信レンジ（reception  range）中の任意の位置に行き、再生パラメータ入力用に設けられたキーボードまたは音量調節ボタン等の入力部（input  arrangement）を介して再生パラメータに対応する値を入力する。その再生パラメータは、サーバ５に送信される。サーバ５において、再生パラメータの入力値とそれに関連する送信装置１の検出位置が、再生装置２、３、４の測定装置（measuring  equipment）１４により格納される。再生システムＳＹＳは、送信装置１の瞬間的位置に応じて再生パラメータの値を記録する動作状態を有する。その動作状態は、対応するコマンドの入力によりアクティブとなる。このコマンドは、例えば、送信装置１のこの目的のために設けられたスイッチやボタンを押すことにより、入力される。個々の再生装置２、３、４の権限領域（competence  area）は同様に決定される。
【００５８】
記録された再生パラメータの値と、それと関連する対応送信装置１の位置とには、本発明の好ましい変形例では、送信装置１により生成されサーバ５に送信された送信装置１を識別する識別メッセージｎが割り当てられる。このように、「再生プロファイル」がユーザまたは再生装置１ごとに決められる。本発明のこの変形例では、個々の再生プロファイルまたは送信装置１に対してプライオリティが決められ、再生システムＳＹＳのいくつかの送信装置１が同時にアクティブであっても、Ａ／ＶデータＡＶＤの再生に際して衝突（conflict）が起きないようにしている。識別メッセージｎにより、送信装置１をユーザに一義的に割り当てることができるが、再生システムＳＹＳのＡ／ＶデータＡＶＤの再生に対してユーザに別の承認をすることもできる。例えば、あるユーザは再生システムＳＹＳに格納されたすべてのビデオデータやビデオフィルムを読み出すことを許されるが、他のユーザは一部の（selected）ビデオ信号やフィルムだけを見ることができる。
【００５９】
本発明の好ましい変形例では、ユーザに対するＡ／ＶデータＡＶＤの再生をする個々の再生装置２、３、４からの音波の遅延差（図４においてΔｓで示す）はキャンセルされる。遅延差Δｓをキャンセルすることは、２つ以上の再生装置２、３、４により同時再生される重なり合った領域では都合がよい。重なっている領域に最適な遅延補正は、２つの再生装置２、３、４がテスト信号を常に送信している間に、ユーザがアクティブな送信装置１を持ってその重なっている領域に行くことにより決定される。ユーザは、送信装置１に対応する制御コマンドを入力することにより、感じる残響が最小になるように、再生装置２、３、４間の遅延差Δｓを変化させ得る。その制御コマンドは、再生装置２、３、４に制御信号の形で送信される。ユーザが選択した遅延差Δｓの設定は、例えば、再生システムＳＹＳによりサーバ５に格納され、この領域に送信装置１が再び入ったときに読み出される（reproduced）。
【００６０】
本発明の最も単純な変形例では、Ａ／ＶデータＡＶＤの再生の同期条件は、同期信号ｔにより再生装置２、３、４のクロックを同期させることにより達成される。その場合、送信装置１は再生装置２、３、４のタイムマスター（time  master）の機能を果たす。有利にも、Ａ／ＶデータＡＶＤは再生装置２、３、４に恒久的に格納されていると、この場合はサーバ５から再生装置２、３、４へのＡ／ＶデータＡＶＤの送信が不要なので、一方では、再生装置２、３、４へのＡ／ＶデータＡＶＤの送信に際する不確定な遅延を避けることができ、他方では、再生システムＳＹＳの構造が簡単になる。
【００６１】
Ａ／ＶデータＡＶＤの再生は、同期信号ｔによりトリガー（triggered）され、関係する再生装置２、３、４で同時に行われる。本発明のこの実施形態では、個々の再生装置２、３、４のＡ／ＶデータＡＶＤの再生スピードは同じであり、非常に簡単な方法で再生を同期させることができる。しかし、すべての再生装置２、３、４のクロックは同期信号ｔにより相互に同期しているので、非常に簡単に再生スピードの同一性を保証することができる。
【００６２】
本発明の別の変形例では、同期信号ｔが時間情報を明示的に含んでなく、周期的なクロックパルスである場合、Ａ／ＶデータＡＶＤの再生は、開始信号ｐにより開始され、その開始信号ｐに続く同期信号ｔの所定のクロックパルスにより始まる。例えば、再生は、開始信号ｐに続く同期信号ｔの２つめのクロックパルスで始まる。この段落に記載した本発明の実施形態では、２つのクロックパルス間の間隔ｉが再生装置２、３、４で検出され、開始信号ｐを受信してからの同期信号ｔのクロックパルス数がカウントされる。このように、すべての再生装置２、３、４に共通する共通グローバル時間ベースが得られ、同期信号ｔに明示的な時間情報が無くても、その時間ベースにより、Ａ／ＶデータＡＶＤの再生の同期を取ることができる。Ａ／ＶデータＡＶＤに含まれる時間情報を使うことにより、本発明のさらに別の変形例では、クロックパルスの同期を以下に説明する方法でも同様に取ることができる。
【００６３】
本発明のさらに別の変形例では、Ａ／ＶデータＡＶＤは、サーバ５から再生装置２、３、４に、例えば「ＡＳＦ（Advanced  Streaming  Format）」として送信され、例えば１−２秒の間、バッファメモリにバッファされる。ＡＳＦにより、同期されたマルチメディアデータの格納と送信が可能となる。既存のＡ／ＶデータＡＶＤを同期させて共にデータを削減（jointly  data-reduced）するので、異なるデータレートを選べる。ＡＳＦファイルはヘッダオブジェクト、データオブジェクト、及びインデックスオブジェクトを含む。ヘッダオブジェクトはファイルのコンテンツを記述する。データオブジェクトは、ＡＳＦデータユニットとして個々のＡ／ＶデータＡＶＤを含む。各ＡＳＦデータユニットは所定の時間セグメントのデータを含む。
【００６４】
インデックスオブジェクトは個々のＡＳＦデータユニットの時間情報を含む。再生装置２、３、４においてＡ／ＶデータＡＶＤを同期再生するために、再生開始後（図４のステップ３）に、受信したクロックパルスｔをＡ／ＶデータＡＶＤに含まれた時間情報（例えば、上記のインデックスオブジェクトに含まれた時間情報）と比較する。同期信号ｔは、上述の通り、送信装置１のクロック６の正確な時間（proper  time）を情報として含み、再生装置２、３、４において、開始信号ｐにより、Ａ／ＶデータＡＶＤの再生に関する内部タイミングが開始される。このように、開始信号ｐを受け取ってから経過した時間を決定して、Ａ／ＶデータＡＶＤに含まれる内部時間情報と比較できる。Ａ／ＶデータＡＶＤに含まれるデータブロックの内部時間情報信号は、例えば、「このデータブロックは再生開始後５秒で始まり、再生開始後２０秒で終了する」ことが示されている。同期信号ｔにより、Ａ／ＶデータＡＶＤに含まれる内部時間情報が同期信号ｔにより予め決められ、すべての再生装置２、３、４において等しい時間スケールと一致するか、チェックすることができる。Ａ／ＶデータＡＶＤの再生をする再生装置２、３、４で実行されるこの比較の結果として、実際の再生時（play  moment）の目標再生時からのずれを決定する。その比較の結果に応じて、個々の再生装置２、３、４で再生の補正を行う。今述べた比較と再生の補正は、Ａ／ＶデータＡＶＤの再生をしている再生装置２、３、４の各々で独立に実行する。この段落に記載した同期方法は、同期信号ｔにより非常に簡単に実行することができる。その同期信号ｔは、クロックパルスの形体であり、明示的な時間情報は含まない。再生装置２、３、４におけるＡ／ＶデータＡＶＤの同期再生に関しては、再生の開始からの経過時間のみを決定すればよい。
【００６５】
例えば、何人かのユーザが同時に再生システムＳＹＳを使用していることにより、いくつかの送信装置１が再生システムＳＹＳにあるかアクティブである場合、上述の通り、送信装置１の各々が識別メッセージｎをサーバ５または再生装置２、３、４に送信し、そのメッセージにより送信装置１の各々が明確に識別可能であることが有利である。Ａ／ＶデータＡＶＤの再生を同期させる権利を、個別の送信装置１に階層的に割り当てることができる。このように、Ａ／ＶデータＡＶＤの再生の同期を第１の送信装置１で実行するが、第２の送信装置が動作状態にされ（activated）、この送信装置からの識別メッセージｎがサーバ５または再生装置２、３、４により受信されると、再生の同期は第２の送信装置の同期信号ｔで行われる。
【００６６】
図４は、再生システムＳＹＳにおけるＡ／ＶデータＡＶＤの再生の同期方法を示す図である。以下に示す方法により、Ａ／ＶデータＡＶＤは、再生が開始される前にサーバ５に格納される。
【００６７】
第１のステップにおいて、ユーザＢが送信装置１を介して開始コマンドを入力する。送信装置１は、開始コマンドの入力後、再生装置２、３に開始信号ｐを送信する（ステップＩ）。再生装置３は、開始信号ｐをサーバ５に送信し、この場合には、再生装置３とサーバ５はイーサネット（登録商標）接続を介してかかる開始信号ｐを表すデータを交換する。空間的に最も近い再生装置２、３、４を介したサーバ５への開始信号ｐの送信の替わりに、上述の通り、開始信号ｐを送信装置１からサーバ５に直接送信することもできる。開始信号ｐを受信すると、サーバ５は再生装置２、３に、再生すべきＡ／ＶデータＡＶＤを送信する。再生装置２、３は、受信したＡ／ＶデータＡＶＤを、それぞれ所定時間（例えば、１−２秒）バッファする（ステップＩＩ）。個々の再生装置２、３におけるＡ／ＶデータＡＶＤの再生は同期信号ｔにより開始（release）される。Ａ／ＶデータＡＶＤの再生の開始は、ここで、それぞれの再生装置２．３が同期信号ｔを受信するとほぼ同時に、よって同期信号ｔの受信後すぐに行われる。しかし、図示した実施形態ではＡ／ＶデータＡＶＤの再生は、第２のクロックパルスまたは同期信号ｔの第２の同期メッセージの後まで始まらない（ステップＩＩＩ）。原理的には、同期信号ｔは周期的時間間隔ｉをおいて発生され、再生装置２、３に送信されるか、それらによりそれぞれ受信される。しかし、時間間隔Ｉは、上述の通り、その長さがランダムであってもよい。
【００６８】
また、再生システムにおいて、１人のユーザＢに割り当てられた２つ以上の送信装置１がある場合、同期信号ｔをともに、識別メッセージｎが送信装置１の識別のために、送信装置１により送信され得る。また、送信装置が再生装置２、３、４のリモコン（remote  control）として構成され、そのように操作される場合、さらに別の制御パルスを送信装置１から再生装置２、３、４に送信することができる。
【図面の簡単な説明】
【００６９】
【図１】Ａ／Ｖデータ再生のための本発明による再生システムを示すブロック図である。
【図２】図１に示した再生システムの本発明による送信装置を示すブロック図である。
【図３】図１に示した再生システムのＡ／Ｖデータ再生のための本発明による再生装置を示すブロック図である。
【図４】Ａ／Ｖデータ再生の同期のための本発明による方法を示すフローチャートである。
【図１】
2008519470.tif 000003
【図２】
2008519470.tif 000004
【図３】
2008519470.tif 000005
【図４】
2008519470.tif 000006
【国際調査報告】
2008519470.tif 000007
2008519470.tif 000008